(57)【要約】【課題】光の反射と透過の程度に応じて、色味が変化する印刷物を提供する。【解決手段】印刷物１０は、透明フィルム層１２の裏面１２Ｂ側に、スクリーン印刷によって形成された第１の着色層１４と、該第１の着色層１４の上にスクリーン印刷された反射層１６と、該反射層１６上にスクリーン印刷された第２の着色層１８により構成されている。前記第１の着色層１４と第２の着色層１８は、光の反射・透過に応じて、透明フィルム層１２の表面１２Ａ側から見たときに色相が変化するように、異なる色のインクを用いて、それぞれスクリーン印刷により形成されている。例えば、前記第１の着色層１４を赤色とし、第２の着色層１８を青色とするという具合である。反射光のみの場合，透過光のみの場合，反射光と透過光の両方がある場合のそれぞれについて、異なった色相に変化する。【選択図】図１
2018094738.tif 000002
【特許請求の範囲】
【請求項１】
透明フィルム層と、
該透明フィルム層の一方の主面にスクリーン印刷された第１の着色層と、
該第１の着色層上にスクリーン印刷された反射層と、
該反射層上にスクリーン印刷されており、前記第１の着色層と異なる色の第２の着色層と、
を備えたことを特徴とする印刷物。
【請求項２】
前記反射層が、パールインクのスクリーン印刷物であることを特徴とする請求項１記載の印刷物。
【請求項３】
前記第１の着色層と第２の着色層の着色濃度が異なることを特徴とする請求項１又は２記載の印刷物。
【発明の詳細な説明】
【技術分野】
【０００１】
本発明は、印刷物に関し、更に具体的には、光の反射と透過の程度により、見え方もしくは色が変化するスクリーン印刷物に関するものである。
【背景技術】
【０００２】
スクリーン印刷は、被印刷物の素材を選ばず、かつ、多様なインクを使用できることから、極めて多目的に用いられる。例えば、下記特許文献１には、遊技者が視認できる絵柄の見え方を、消灯時と点灯時とで変化させることで、趣向性の高い演出を可能とする遊技機が開示されている。
【０００３】
当該遊技機の絵柄表示部は、有色インクで第１の絵柄が描かれた第１の装飾シート層と、前記第１の装飾シート層の背面側に重畳され、前記有色インクに比べて透過性が高い偏光パールインクで印刷された中間印刷層と、前記中間印刷層の背面側に重畳され、前記有色インクで第２の絵柄が描かれた第２の装飾シート層とを有する構成となっている。そして、発光体の消灯時において、前記中間印刷層が前記外乱光の一部を反射することで、前記第１の装飾シート層に描かれた前記第１の絵柄のみが遊技者に視認可能に表示され、前記発光体の点灯時において、前記中間印刷層が前記発光体から発光された光を透過することで、前記第２の装飾シート層に描かれた前記第２の絵柄のみが遊技者に視認可能に表示されることとなっている。
【先行技術文献】
【特許文献】
【０００４】
【特許文献１】特開２０１３−１６５８６８号公報
【発明の概要】
【発明が解決しようとする課題】
【０００５】
しかしながら、上述した特許文献１に開示された絵柄表示部は、３枚のシートを重ねる構成となっており（同文献の段落００６６参照）、全体として厚みが生じてしまうため、遊技機以外の用途に適用しにくい場合がある。また、発光体の点灯時と消灯時で見える絵柄が異なるものの、色味の変化については何ら開示されていない。
【０００６】
本発明は、以上のような点に着目したもので、光の反射と透過の程度に応じて、見え方や色味が変化する印刷物を提供することを、その目的とする。
【課題を解決するための手段】
【０００７】
本発明は、透明フィルム層と、該透明フィルム層の一方の主面にスクリーン印刷された第１の着色層と、該第１の着色層上にスクリーン印刷された反射層と、該反射層上にスクリーン印刷されており、前記第１の着色層と異なる色の第２の着色層と、を備えたことを特徴とする。
【０００８】
主要な形態の一つは、前記反射層が、パールインクのスクリーン印刷物であることを特徴とする。他の形態の一つは、前記第１の着色層と第２の着色層の着色濃度が異なることを特徴とする。本発明の前記及び他の目的，特徴，利点は、以下の詳細な説明及び添付図面から明瞭になろう。
【発明の効果】
【０００９】
本発明によれば、透明フィルム層と、該透明フィルム層の一方の主面にスクリーン印刷された第１の着色層と、該第１の着色層上にスクリーン印刷された反射層と、該反射層上にスクリーン印刷されており、前記第１の着色層と異なる色の第２の着色層と、を備えることとした。このため、記透明フィルム層の他方の主面側から見たときの色相が、該他方の主面側での反射光と、前記第２の着色層側からの透過光の程度に応じて変化することとした。すなわち、反射光のみの場合，透過光のみの場合，反射光と透過光の両方がある場合のそれぞれについて、印刷物が異なった色相に変化するという効果がある。
【図面の簡単な説明】
【００１０】
【図１】本発明の実施例１を示す図であり、(A)は印刷物の平面図，(B)は前記(A)を＃Ａ−＃Ａ線に沿って切断し矢印方向に見た断面図，(C-1)及び(C-2)は光の反射時及び透過時の印刷物の色相の変化の様子を示す図である。
【図２】前記実施例１の印刷物の見え方を示す断面図及び正面図であり、(A-1)及び(A-2)は反射光のみの場合，(B-1)及び(B-2)は透過光のみの場合，(C-1)及び(C-2)は反射光と透過光が混ざった場合の様子を示す図である。
【発明を実施するための形態】
【００１１】
以下、本発明を実施するための最良の形態を、実施例に基づいて詳細に説明する。
【実施例１】
【００１２】
最初に、図１及び図２を参照しながら本発明の実施例１を説明する。図１(A)は、本実施例の印刷物の平面図，図１(B)は前記(A)を＃Ａ−＃Ａ線に沿って切断し矢印方向に見た断面図，図１(C-1)及び(C-2)は光の反射時及び透過時の印刷物の色相の変化の様子を示す図である。図２は、本実施例の印刷物の見え方を示す断面図及び正面図であり、(A-1)及び(A-2)は反射光のみの場合，(B-1)及び(B-2)は透過光のみの場合，(C-1)及び(C-2)は反射光と透過光が混ざった場合の様子を示す図である。
【００１３】
図１(A)及び(B)に示すように、本実施例の印刷物１０は、透明フィルム層１２の一方の主面（ここでは裏面１２Ｂ）側に、スクリーン印刷によって形成された第１の着色層１４と、該第１の着色層１４の上にスクリーン印刷された反射層１６と、該反射層１６上にスクリーン印刷された第２の着色層１８により構成されている。前記第１の着色層１４と第２の着色層１８は、光の反射・透過の程度に応じて、透明フィルム層１２の他方の主面（ここでは表面１２Ａ）側から見たときに印刷物１０の色相が変わるように、異なる色のインクを用いて、それぞれスクリーン印刷により形成されている。例えば、前記第１の着色層１４を赤色インクのスクリーン印刷により形成し、第２の着色層１８を青色インクのスクリーン印刷により形成するという具合である。
【００１４】
前記透明フィルム層１２としては、透光性を有するものであれば、公知の各種の素材が利用可能である。例えば、ポリエステルフィルムや、塩化ビニール，ポリカーボネート，アクリル樹脂などの透明樹脂が利用可能である。また、前記反射層１６としては、反射が高輝度で生じるものであればよく、例えば、パールインクや銀ペーストをスクリーン印刷したものが好適であるが、これらに限定されるものではない。
【００１５】
以上のような印刷物１０を、例えば、図１(C-1)及び(C-2)に示すように、透明フィルム層１２側を表にして、バックライト２２（光源）を埋め込んだ壁２０などに貼った場合を例に挙げて説明する。まず、図１(C-1)に示すようにバックライト２２が点灯しない場合、図２(A-1)に示すように、印刷物１０に照射される光は、第１の着色層１４側から入射する光のみである。このとき、光は図２(A-1)に示すように第１の着色層１４で反射される。本実施例では、第１の着色層１４に赤色インクを用いているため、図１(C-1)及び図２(A-2)に示すように、印刷物１０は赤色に見える。
【００１６】
次に、図１(C-2)に示すように、バックライト２２を点灯し、印刷物１０に照射される光が、第２の着色層１８側のみからとすると、光は図２(B-1)に示すように、印刷物１０を透過する。本実施例では、第２の着色層１８に青色インクを用いているため、図１(C-2)及び図２(B-2)に示すように、印刷物１０は青色に見える。なお、ここでは、反射のみの場合と、透過のみの場合について説明したが、実際には、図２(C-1)及び(C-2)に示すように、反射と透過が混ざっている場合もある。
【００１７】
反射と透過が混ざる場合には、例えば、第１の着色層１４の濃度が比較的薄く、第２の着色層１８の濃度が比較的濃い場合には、前記第１の着色層１４の色と第２の着色層１８の色が混ざった色相，すなわち、紫色に印刷物１０が見える。このような色相の変化は、光源(バックライト２２)の強度や、印刷物１０の設置場所・使用方法により変化するが、第１の着色層１４と第２の着色層１８の着色濃度を変えることによっても変化する。
【００１８】
このように、実施例１によれば、次のような効果がある。
(1)透明フィルム層１２と、その一方の主面にスクリーン印刷された第１の着色層１４と、その上にスクリーン印刷された反射層１６と、その上にスクリーン印刷されており前記第１の着色層１４と異なる色の第２の着色層１８とを備えた印刷物１０とした。このため、透明フィルム層１２の他方の主面１２Ｂ側から見たときの色相が、該他方の主面１２Ｂ側での反射光と、前記第２の着色層１２Ａ側からの透過光との程度に応じて変化する。従って、反射光のみの場合，透過光のみの場合，反射光と透過光の双方がある場合のそれぞれについて、印刷物１０が異なった色相に変化し、鑑賞性に富む。
(2)反射層１６としてパールインク又は銀ペーストを用いているため輝度があり、注目度が高く、目を引きやすい。
(3)第１の着色層１４と第２の着色層１８の着色濃度を変えることで、反射と透過のときの色相の変化の具合を調節することができる。
【００１９】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。材料についても、同様の効果を奏する範囲内で、公知の各種の材料を利用してよい。
(2)前記実施例では、印刷物１０の全体に第１の着色層１４，反射層１６，第２の着色層１８を設けることとしたが、これも一例であり、一枚の印刷物を複数の領域に分けてそれぞれ異なる色相変化を起こすようにしてもよいし、絵柄などを描くようにしてもよい。また、印刷物の面全体に必ず着色層などを設ける必要はなく、色相変化を要する部分のみに、第１の着色層，反射層，第２の着色層を設けるようにしてよい。
(3)前記実施例では、透明フィルム層１２として、無色透明のものを用いたが、透明であれば有色であってもよい。また、前記実施例で示したバックライト２２の発色も白色に限定されるものではなく、他の色に発色するものを用いてもよい。
(4)前記実施例では、掲示物等に用いられる印刷物を例に挙げて説明したが、本発明の印刷物はこれに限定されるものではなく、例えば、遊技機や電飾かんばん，展示パネルなど、広く適用可能である。
【産業上の利用可能性】
【００２０】
本発明によれば、透明フィルム層と、該透明フィルム層の一方の主面にスクリーン印刷された第１の着色層と、該第１の着色層上にスクリーン印刷された反射層と、該反射層上にスクリーン印刷されており、前記第１の着色層と異なる色の第２の着色層と、を備えることとした。このため、反射光のみの場合，透過光のみの場合，反射光と透過光の両方がある場合のそれぞれについて異なった色相に変化し、注目度が高く、目を引くため、各種印刷物の用途に適用できる。
【符号の説明】
【００２１】
１０：印刷物
１２：透明フィルム層
１２Ａ：表面
１２Ｂ：裏面
１４：第１の着色層
１６：反射層
１８：第２の着色層
２０：壁
２２：バックライト
【図１】
2018094738.tif 000003
【図２】
2018094738.tif 000004